(57)【要約】【課題】調理条件の表示部及びタイマ時間の表示部を構成する部品点数を削減すると共に、両表示部を設置するのに必要な領域を縮小する。【解決手段】２つの７セグメントＬＥＤを備える時間／調理表示部２４によって、二桁の数字表示を行ってタイマ時間を表示し、また、時間／調理表示部２４の左右の表示部２４Ｌ，２４Ｒの横長のセグメント２４Ｌ１，２４Ｌ７，２４Ｌ４；２４Ｒ１，２４Ｒ７，２４Ｒ４をそれぞれ点灯させて隣接する第１〜第３文字表記２５ａ〜２５ｃ；２６ａ〜２６ｃが表す調理条件としてのメニュー及び焼き加減を表示する。【選択図】図４
2018015107.tif 000002
【特許請求の範囲】
【請求項１】
グリル調理の調理条件とグリル調理のタイマ時間とが、個別に設定されるグリル付き加熱調理器であって、
前記調理条件と前記タイマ時間とを選択的に切替え表示する切替表示部を備え、
前記切替表示部は、７セグメント表示素子と、前記７セグメント表示素子を構成する横長のセグメントに隣接して配置されると共に、前記調理条件を表す表記部とを有し、
前記切替表示部は、前記表記部に隣接する前記横長のセグメントを用いて前記表記部の表す前記調理条件を表示する一方、前記７セグメント表示素子によって数字表示を行って前記タイマ時間を表示する、
ことを特徴とするグリル付き加熱調理器。
【請求項２】
グリル庫内の被加熱物を加熱する加熱部と、前記加熱部による加熱を制御する制御部と、前記調理条件として自動調理の調理条件が設定される調理条件設定部と、タイマ調理の前記タイマ時間が設定されるタイマ設定部とを備え、
前記制御部が、前記調理条件設定部で設定される前記調理条件に基づいて、前記加熱部による加熱量及び加熱時間を制御する自動調理及び前記タイマ設定部で設定されたタイマ時間になると前記加熱部による加熱を停止させるタイマ調理を実行するものであって、
前記調理条件設定部では、前記調理条件として、メニューが設定されると共に、該メニューに対応する焼き加減が設定される、
請求項１に記載のグリル付き加熱調理器。
【請求項３】
前記切替表示部は、前記７セグメント表示素子を２つ備えると共に、前記表記部として、前記メニューを表す第１表記部と前記焼き加減を表す第２表記部とを備え、
前記２つの前記７セグメント表示素子は隣接して配置されており、前記第１表記部は、一方の７セグメント表示素子に隣接して配置され、前記第２表記部は、他方の７セグメントに隣接して配置されており、
前記第１表記部は、複数種類の前記メニューをそれぞれ表す複数の文字表記を有し、前記第２表記部は、複数種類の前記焼き加減をそれぞれ表す複数の文字表記を有しており、
前記第１表記部の各文字表記が、前記一方の７セグメント表示素子を構成する複数の横長の各セグメントにそれぞれ隣接して配置され、前記第２表記部の各文字表記が、前記他方の７セグメント表示素子を構成する複数の横長の各セグメントにそれぞれ隣接して配置されており、
前記切替表示部は、前記一方の７セグメント表示素子を構成する横長の前記セグメントを点灯させて隣接する前記第１表記部の文字表記によって前記メニューを表示すると共に、前記地方の７セグメント表示素子を構成する横長の前記セグメントを点灯させて隣接する前記第２表記部の文字表記によって前記焼き加減を表示する一方、前記両７セグメント表示素子によって二桁の数字表示を行って前記タイマ時間を表示する、
請求項２に記載のグリル付き加熱調理器。
【請求項４】
前記制御部は、前記自動調理の実行中に、加熱停止までの残加熱時間を求めるものであり、
前記切替表示部は、前記自動調理の実行中に、前記７セグメント表示素子によって数字表示を行って前記残加熱時間を表示するものであって、前記残加熱時間の表示と、前記調理条件の表示とを、交互に切替え表示する、
請求項２または３に記載のグリル付き加熱調理器。
【発明の詳細な説明】
【技術分野】
【０００１】
本発明は、グリル付き加熱調理器に関する。
【背景技術】
【０００２】
従来のグリル付き加熱調理器には、設定したメニュー等の調理条件に基づいてグリルバーナによる加熱量及び加熱時間を制御する自動調理と、設定したタイマ時間になるとグリルバーナによる加熱を停止させるタイマ調理とが可能なものがある（例えば、特許文献１参照）。
【先行技術文献】
【特許文献】
【０００３】
【特許文献１】特許第４１５２２８９号公報
【発明の概要】
【発明が解決しようとする課題】
【０００４】
上記特許文献１では、自動調理のために設定した調理条件、例えば、「姿焼き」、「切身」、「干物」といったメニュー、及び、「強め」、「標準」、「弱め」といった焼き加減をそれぞれ表示する調理条件表示部が備えられると共に、タイマ調理のために設定したタイマ時間を表示するタイマ表示部が備えられている。
【０００５】
このように、自動調理用の調理条件表示部とタイマ調理用のタイマ表示部とが、個別に備えられているために、両表示部を構成する部品点数が増加してコストアップを招くと共に、両表示部を設置するのに必要な領域も大きくなり、設定操作がされる操作面を構成する意匠が制約されるといった課題がある。
【０００６】
本発明は、上記のような点に鑑みてなされたものであって、調理条件表示部及びタイマ表示部を構成する部品点数を削減すると共に、両表示部を設置するのに必要な領域を縮小することを目的とする。
【課題を解決するための手段】
【０００７】
上記目的を達成するために、本発明では次のように構成している。
【０００８】
（１）本発明のグリル付き加熱調理器は、グリル調理の調理条件とグリル調理のタイマ時間とが、個別に設定されるグリル付き加熱調理器であって、前記調理条件と前記タイマ時間とを選択的に切替え表示する切替表示部を備え、前記切替表示部は、７セグメント表示素子と、前記７セグメント表示素子を構成する横長のセグメントに隣接して配置されると共に、前記調理条件を表す表記部とを有し、前記切替表示部は、前記表記部に隣接する前記横長のセグメントを用いて前記表記部の表す前記調理条件を表示する一方、前記７セグメント表示素子によって数字表示を行って前記タイマ時間を表示する。
【０００９】
本発明によると、切替表示部では、表記部に隣接する横長のセグメントを、例えば、点灯あるいは点滅させることによって、前記表記部の表す調理条件を表示し、７セグメント表示素子の数字表示によってタイマ時間を表示するので、切替表示部を、グリル調理の調理条件の表示部と、タイマ調理のタイマ時間の表示部とに兼用することができる。これによって、調理条件の表示部とタイマ時間の表示部とを個別に備える従来の構成に比べて、表示部を構成する部品点数の削減及び設置領域の縮小を図ることができる。
【００１０】
（２）本発明の好ましい実施態様では、グリル庫内の被加熱物を加熱する加熱部と、前記加熱部による加熱を制御する制御部と、前記調理条件として自動調理の調理条件が設定される調理条件設定部と、タイマ調理の前記タイマ時間が設定されるタイマ設定部とを備え、前記制御部が、前記調理条件設定部で設定される前記調理条件に基づいて、前記加熱部による加熱量及び加熱時間を制御する自動調理及び前記タイマ設定部で設定されたタイマ時間になると前記加熱部による加熱を停止させるタイマ調理を実行するものであって、前記調理条件設定部では、前記調理条件として、メニューが設定されると共に、該メニューに対応する焼き加減が設定される。
【００１１】
この実施態様によると、切替表示部によって、自動調理の調理条件である、メニュー及び焼き加減の表示と、タイマ調理のタイマ時間の表示とを、切替え表示することができる。
【００１２】
また、切替表示部は、７セグメント表示素子のみを使用して、自動調理の調理条件の表示とタイマ調理のタイマ時間の表示とを行うので、グリル付き加熱調理器として、自動調理とタイマ調理との両調理を実行する形態のものと、タイマ調理のみを実行する形態のものとを製造する場合に、７セグメント表示素子による表示部分を兼用して製造することが可能であり、タイマ時間の数字表示のための７セグメント表示素子以外に、自動調理用の調理条件であるメニュー及び焼き加減を表示するために、別途、ＬＥＤ等の表示素子を必要とする従来例に比べて、コストを低減することができる。
【００１３】
また、タイマ調理のみを実行する形態のグリル付き加熱調理器を改良して、自動調理とタイマ調理との両調理を実行する形態のグリル付き加熱調理器を製造する場合にも、７セグメント表示素子による表示部分を兼用して製造することができるので有用である。
【００１４】
（３）本発明の他の実施態様では、前記切替表示部は、前記７セグメント表示素子を２つ備えると共に、前記表記部として、前記メニューを表す第１表記部と前記焼き加減を表す第２表記部とを備え、前記２つの前記７セグメント表示素子は隣接して配置されており、前記第１表記部は、一方の７セグメント表示素子に隣接して配置され、前記第２表記部は、他方の７セグメントに隣接して配置されており、前記第１表記部は、複数種類の前記メニューをそれぞれ表す複数の文字表記を有し、前記第２表記部は、複数種類の前記焼き加減をそれぞれ表す複数の文字表記を有しており、前記第１表記部の各文字表記が、前記一方の７セグメント表示素子を構成する複数の横長の各セグメントにそれぞれ隣接して配置され、前記第２表記部の各文字表記が、前記他方の７セグメント表示素子を構成する複数の横長の各セグメントにそれぞれ隣接して配置されており、前記切替表示部は、前記一方の７セグメント表示素子を構成する横長の前記セグメントを点灯させて隣接する前記第１表記部の文字表記によって前記メニューを表示すると共に、前記地方の７セグメント表示素子を構成する横長の前記セグメントを点灯させて隣接する前記第２表記部の文字表記によって前記焼き加減を表示する一方、前記両７セグメント表示素子によって二桁の数字表示を行って前記タイマ時間を表示する。
【００１５】
この実施態様によると、二桁の数字表示によってタイマ時間を表示する２つの７セグメント表示素子と、一方の７セグメント表示素子に隣接するメニューを表す第１表記部と、他方の７セグメト表示素子に隣接する焼き加減を表す第２表記部とを有し、各表記部は、各７セグメント表示素子を構成する複数の横長の各セグメントにそれぞれ隣接する複数の文字表記を有しており、各７セグメント表示素子の横長のセグメントを点灯させて隣接する文字表記によって前記メニュー及び前記焼き加減をそれぞれ表示することができる。
【００１６】
更に、第１，第２表記部の各文字表記によって、メニュー及び焼き加減をそれぞれ表すので、記号で表記した場合のように、使用者が、取扱説明書等によってその記号が意味するところを参照しながらグリル付き加熱調理器を使用しなければならないといったことがなく、使い勝手が良い。
【００１７】
（４）本発明の好ましい実施態様では、前記制御部は、前記自動調理の実行中に、加熱停止までの残加熱時間を求めるものであり、前記切替表示部は、前記自動調理の実行中に、前記７セグメント表示素子によって数字表示を行って前記残加熱時間を表示するものであって、前記残加熱時間の表示と、前記調理条件の表示とを、交互に切替え表示する。
【００１８】
この実施態様によると、自動調理を実行中に加熱停止までの残加熱時間及び調理条件が交互に表示されるので、使い勝手が良いグリル付き加熱調理器となる。
【発明の効果】
【００１９】
本発明によれば、切替表示部では、表記部に隣接する横長のセグメントを用いて前記表記部の表す調理条件を表示し、７セグメント表示素子の数字表示によってタイマ時間を表示するので、切替表示部を、グリル調理の調理条件の表示部と、タイマ調理のタイマ時間の表示部とに兼用することができる。これによって、調理条件の表示部とタイマ時間の表示部とを個別に備える従来の構成に比べて、表示部を構成する部品点数の削減及び設置領域の縮小を図ることができる。
【図面の簡単な説明】
【００２０】
【図１】本発明の一実施形態のグリル付きガスコンロの全体斜視図である。
【図２】図１のグリル付きガスコンロの開閉式の操作部を開放した状態を示す全体斜視図である。
【図３】グリル用調理設定入力部を示す図である。
【図４】グリル用調理設定入力部における調理設定表示部の拡大図である。
【図５】調理設定表示部におけるタイマ時間の表示例を示す図である。
【図６】調理設定表示部における調理条件の設定表示例を示す図である。
【図７】調理設定表示部における調理条件と残加熱時間との切替表示例を示す図である。
【図８】調理設定表示部における調理条件と残加熱時間との他の切替表示例を示す図である。
【発明を実施するための形態】
【００２１】
以下、本発明の実施形態について図面を参照しながら詳細に説明する。
【００２２】
図１は、本発明の一実施形態に係るグリルを付き加熱調理器としてのグリル付きガスコンロの全体斜視図である。この実施形態のグリル付きガスコンロ１は、ガスコンロ本体２の上部に、ガラス製の天板５が配置され、この天板５に形成された開口から臨むコンロバーナ３として、高火力バーナ３Ａ、小火力バーナ３Ｂ及び高火力バーナ３Ｃを備えている。ガスコンロ本体２の左右方向（横幅方向）の中央部には、グリル４を備えている。このグリル４のグリル庫には、加熱部としてのグリルバーナ（図示せず）が設けられている。
【００２３】
天板５上には、各コンロバーナ３Ａ〜３Ｃにて加熱される鍋等の調理容器を載置するための五徳７が、３つのコンロバーナ３Ａ〜３Ｃの夫々に対応して設けられている。ガスコンロ本体２の上面部の後部側には、グリル４の燃焼排ガスを排気するためのグリル排気口６が設けられている。
【００２４】
このグリル付きガスコンロ１は、図示は省略するが、キッチンキャビネットの上方開口部から下方に挿入されてキッチンキャビネットに組み付けられる、いわゆるビルトインタイプとして構成されるものであり、キッチンキャビネットに組み付けられた状態においては、ガスコンロ本体２の前面部が、キッチンキャビネットの前面開口に臨ませた状態となる。
【００２５】
なお、ガスコンロ本体２の横側壁における前方側箇所には、ガスコンロ本体２の横端部と前面開口との間の隙間を塞ぐ左右一対のサイドカバー８，８が装着されている。
【００２６】
図１に示すように、ガスコンロ本体２の前面部には、グリル４の左右に前面パネル９，９が設けられ、各前面パネル９，９の下方には、図２にその開放状態が示される開閉式の操作部１０，１０が設けられる。
【００２７】
左方の前面パネル９には、押し操作の度に、高火力バーナ３Ａ及び小火力バーナ３Ｂの点消火をそれぞれ行うための点消火ボタン１１Ａ，１１Ｂが備えられ、その上方に、左右のスライド操作によって高火力バーナ３Ａ及び小火力バーナ３Ｂの火力をそれぞれ手動調節する火力調節レバー１２Ａ，１２Ｂが備えられる。また、点消火ボタン１１Ａ，１１Ｂと火力調節レバー１２Ａ，１２Ｂとの間には、各バーナ３Ａ，３Ｂが燃焼状態であることを点灯表示するＬＥＤからなる燃焼ランプ１６Ａ，１６Ｂが備えられる。
【００２８】
一対の点消火ボタン１１Ａ，１１Ｂは、ガスコンロ本体２の左右方向に沿って隣接して配置されると共に、両点消火ボタン１１Ａ，１１Ｂの間には、ガスコンロ本体２の左右方向である横方向から見た側方視において、点消火ボタン１１Ａ，１１Ｂの前方側へ突出した前端側部分と同形状部分を有する中間部材１４が配設されている。この中間部材１４は、点消火ボタン１１Ａ，１１Ｂの押し操作方向と同方向への移動が不能であり、押し操作できないように構成されている。この中間部材１４によって、一方の点消火ボタンの押し操作が、他方の点消火ボタンに及ぶことがなく、意図せずに他方の点消火ボタンが押し操作されるのを回避することができる。
【００２９】
右方の前面パネル９には、押し操作の度に、高火力バーナ３Ｃ及びグリルバーナの点消火をそれぞれ行うための点消火ボタン１１Ｃ，１１Ｄが備えられ、点消火ボタン１１Ｃの上方に、高火力バーナ３Ｃの火力を手動調節する火力調節レバー１２Ｃが備えられ、また、高火力バーナ３Ｃが燃焼状態であることを点灯表示する燃焼ランプ１６Ｃが備えられる。
【００３０】
この一対の点消火ボタン１１Ｃ，１１Ｄは、一対の点消火ボタン１１Ａ，１１Ｂと同様に、ガスコンロ本体２の左右方向に沿って隣接して配置されると共に、両点消火ボタン１１Ｃ，１１Ｄの間には、中間部材１４が配設されている。
【００３１】
左方の開閉式の操作部１０は、図２に示す開放状態において、高火力バーナ３Ａ及び小火力バーナ３Ｂに対する運転情報を設定するものであって、具体的には、燃焼している高火力バーナ３Ａ及び小火力バーナ３Ｂを設定したタイマ時間が経過すると自動的に消火するタイマ調理運転や、やかん等の被加熱容器に収納した湯水が沸騰すると、燃焼している高火力バーナ３Ａ及び小火力バーナ３Ｂを自動的に消火する自動調理運転等、各種の運転を実行するための運転情報を設定することができる。
【００３２】
右方の開閉式の操作部１０は、図２に示す開放状態において、高火力バーナ３Ｃ及びグリルバーナに対する運転情報を設定するものであって、具体的には、高火力バーナ３Ｃについては、高火力バーナ３Ａ及び小火力バーナ３Ｂと同様に、タイマ調理運転や自動調理運転等の各種の運転を実行するための運転情報を設定することができる。
【００３３】
また、グリルバーナについては、燃焼しているグリルバーナを設定時間が経過すると自動的に消火するタイマ調理運転や、燃焼排気温度に基づいて被調理物が焼き上がったと判定すると、燃焼しているグリルバーナを自動的に消火する自動調理運転等の各運転を実行するための運転情報を設定することができる。
【００３４】
この実施形態のグリル付きガスコンロ１は、マイクロコンピュータを有してガスコンロ全体に対する運転を制御する制御部（図示せず）を備えており、この制御部は、上記点消火ボタン１１Ａ〜１１Ｄ、火力調節レバー１２Ａ〜１２Ｃ、及び、各操作部１０，１０で設定される運転情報に基づいて、コンロバーナ３及びグリルバーナを制御する。
【００３５】
この制御部は、グリル４の自動調理運転を実行する場合、設定される調理条件に基づいてグリルバーナによる加熱量及び加熱時間を制御し、また、タイマ調理運転を実行する場合、設定タイマ時間になるとグリルバーナによる加熱を停止させる。
【００３６】
この実施形態では、グリルの自動調理用の調理条件の表示部と、タイマ調理用のタイマ表示部とを兼用して、両表示部を構成する部品点数を削減すると共に、両表示部を設置するのに必要な領域を縮小するようにしている。
【００３７】
図３は、上記開閉式の操作部１０におけるグリル用調理設定入力部１７を示す図である。このグリル用調理設定入力部１７は、タイマ調理及び自動調理の設定及び表示を行う調理設定表示部２３と、グリルバーナの上火（上バーナ）、下火（下バーナ）の火力の切替え及びその表示を行う火力切替表示部２８と、後述の各スイッチを操作して設定した各入力を取り消すための取消しスイッチ２２とを備えている。
【００３８】
この調理設定表示部２３は、グリルによる調理時間を設定するためのタイマスイッチ１８と、自動調理の調理条件であるメニューを設定するためのオートメニュースイッチ２０と、自動調理の調理条件である焼き加減を設定するための焼き加減スイッチ２１と、後述のようにタイマ時間とメニュー等の自動調理の調理条件とを切替えて表示するための時間／調理表示部２４と、この時間／調理表示部２４の両側に配置されて調理条件を表す第１，第２表記部２５，２６とを備えている。時間／調理表示部２４と第１，第２表記部２５，２６とによって、自動調理の調理条件とタイマ時間とを選択的に切替え表示する切替表示部が構成される。
【００３９】
タイマスイッチ１８は、「＋」スイッチ１８ａと「−」スイッチ１８ｂとを備えている。時間／調理表示部２４は、隣接配置された左側表示部２４Ｌと右側表示部２４Ｒとを備えている。
【００４０】
火力切替表示部２８は、上火、下火の火力を、弱火力と強火力とに切替えるための火力切替スイッチ１９と、火力を表示する火力表示部２７とを備えている。火力表示部２７は、弱火力であることを表示する弱火力表示部２７ａと、強火力であることを表示する強火力表示部２７ｂとを備えている。
【００４１】
図４は、図３の調理設定表示部２３の拡大図である。時間／調理表示部２４の左側表示部２４Ｌと右側表示部２４Ｒとは、７セグメント表示素子である７セグメントＬＥＤで構成されている。
【００４２】
左側表示部２４Ｌは、第１セグメント２４Ｌ１から第７セグメント２４Ｌ７までの７セグメントＬＥＤからなり、右側表示部２４Ｒは、第１セグメント２４Ｒ１から第７セグメント２４Ｒ７までの７セグメントＬＥＤからなる。
【００４３】
第１表記部２５は、オートメニュースイッチ２０の上方であって、左側表示部２４Ｌの左側に隣接配置される。この第１表記部２５は、オートメニューのメニューをそれぞれ表す、「姿焼き」の第１文字表記２５ａと、「切身」の第２文字表記２５ｂと、「干物」の第３文字表記２５ｃとが、上下三段に配置されて構成される。
【００４４】
「姿焼き」の第１文字表記２５ａは、左側表示部２４Ｌの上段横長の第１セグメント２４Ｌ１に隣接し、「切身」の第２文字表記２５ｂは、中段横長の第７セグメント２４Ｌ７に隣接し、「干物」の第３文字表記２５ｃは、下段横長の第４セグメント２４Ｌ４に隣接している。
【００４５】
第２表記部２６は、焼き加減スイッチ２１の上方であって、右側表示部２４Ｒの右側に隣接配置される。この第２表記部２６は、焼き加減をそれぞれ表す、
「強め」の第１文字表記２６ａと、「標準」の第２文字表記２６ｂと、「弱め」の第３文字表記２６ｃとが、上下三段に配置されて構成される。
【００４６】
「強め」の第１文字表記２６ａは、右側表示部２４Ｒの上段横長の第１セグメント２４Ｒ１に隣接し、「標準」の第２文字表記２６ｂは、中段横長の第７セグメント２４Ｒ７に隣接し、「弱め」の第３文字表記２６ｃは、下段横長の第４セグメント２４Ｒ４に隣接している。
【００４７】
時間／調理表示部２４は、上記のように、タイマ時間と自動調理の調理条件とを切替えて表示することが可能であり、設定されたタイマ時間の表示は、７セグメントＬＥＤでそれぞれ構成された左側表示部２４Ｌと右側表示部２４Ｒとによって、例えば、図５に示すように、二桁の数字表示で行われる。
【００４８】
この図５の例では、左側表示部２４Ｌの縦長の第２，第３セグメント２４Ｌ２，２４Ｌ３が点灯して数字の「１」を表示すると共に、右側表示部２４Ｒの第１，第２，第４，第５，第７セグメント２４Ｒ１，２４Ｒ２，２４Ｒ４，２４Ｒ５，２４Ｒ７が点灯して数字の「２」を表示し、タイマ時間が、「１２」分であることを表示している。
【００４９】
このようにタイマ時間の表示は、２つの７セグメントＬＥＤからなる左右の表示部２４Ｌ，２４Ｒによる二桁の数字表示によって行われる。
【００５０】
次に、自動調理の調理条件の設定及び表示について説明する。
【００５１】
調理設定表示部２３の「オートメニュー」スイッチ２０を押し操作すると、図６（ａ）に示すように、第１表記部２５の第１文字表記２５ａの「姿焼き」に隣接する左側表示部２４の上段横長の第１セグメント２４Ｌ１が点灯し、オートメニューとして「姿焼」が選択される。
【００５２】
その後、「オートメニュー」スイッチ２０を押し操作する度に、左側表示部２４Ｌの点灯するセグメントが、「上段横長の第１セグメント２４Ｌ１」→「中段横長の第７セグメント２４Ｌ７」→「下段横長の第４セグメント２４Ｌ４」→「上段横長の第１セグメント２４Ｌ１」・・・とサイクリックに切り替わり、点灯するセグメントに隣接する第１〜第３文字表記２５ａ〜２５ｃが、第１文字表記２５ａ（「姿焼」）→第２文字表記２５ｂ（「切身」）→第３文字表記２５ｃ（「干物」）→第１文字表記２５ａ（「姿焼」）・・・とサイクリックに切り替わる。
【００５３】
このように「オートメニュー」スイッチ２０を押し操作する度に、メニューを、「姿焼」、「切身」、「干物」の何れかに切替え選択して設定できると共に、その設定に応じて、第１〜第３文字表記２５ａ〜２５ｃに対応する左側表示部２４Ｌの上段（第１セグメント２４Ｌ１）、中段（第７セグメント２４Ｌ７）、下段（第４セグメント２４Ｌ）の何れかの横長のセグメントが点灯して設定されたメニューが表示される。
【００５４】
「オートメニュー」スイッチ２０を押し操作し、オートメニューとして、例えば、図６（ａ）に示すように、「姿焼き」を選択した後、「焼き加減」スイッチ２１を押し操作すると、第２表記部２６の第２文字表記２６ｂの「標準」に隣接する右側表示部２４Ｒの中段横長の第７セグメント２４Ｒ７が点灯し、図６（ｂ）に示すように、焼き加減として「標準」が選択される。
【００５５】
その後、「焼き加減」スイッチ２１を押し操作する度に、右側表示部２４Ｒの点灯するセグメントが、「中段横長の第７セグメント２４Ｒ７」→「下段横長の第４セグメント２４Ｒ４」→「上段横長の第１セグメント２４Ｒ１」→「中段横長の第７セグメント２４Ｒ７」・・・とサイクリックに切り替わり、点灯するセグメントに隣接する第１〜第３文字表記２６ａ〜２６ｃが、第２文字表記２６ｂ（「標準」）→第３文字表記２６ｃ（「弱め」）→第１文字表記２６ａ（「強め」）→第２文字表記２６ｂ（「標準」）とサイクリックに切り替わる。
【００５６】
このように「焼き加減」スイッチ２１を押し操作する度に、焼き加減を、「標準」、「弱め」、「強め」の何れかに切替え選択して設定できると共に、その設定に応じて、第２、第３、第１文字表記２６ｂ、２６ｃ、２６ａに対応する右側表示部２４Ｒの中段（第７セグメント２４Ｒ７）、下段（第４セグメント２４Ｒ４）、上段（第１セグメント２４Ｒ１）の何れかの横長のセグメントが点灯して設定された焼き加減が表示される。
【００５７】
因みに、「オートメニュー」スイッチ２０を押し操作して、「姿焼」、「切身」、「干物」の何れかを選択した後、「焼き加減」スイッチ２１を押し操作しない場合、右側表示部２５Ｒの「上段横長の第１セグメント２４Ｒ１」、「中段横長の第７セグメント２４Ｒ７」、「下段横長の第４セグメント２４Ｒ４」の何れも点灯しないが、この場合、焼き加減として「標準」が選択されたものとみなされる。なお、「オートメニュー」スイッチ２０を押し操作して、「姿焼」、「切身」、「干物」の何れかを選択した後、「焼き加減」スイッチ２１を押し操作しない場合、第２文字表記２６ｂである「標準」に対応する中段横長の第７セグメント２４Ｒ７を点灯させてもよい。
【００５８】
本実施形態では、自動調理において、上記制御部が、グリルバーナによる加熱開始後において、グリル庫内の温度を検出するグリル庫内温度検出部（図示せず）による検出温度、及び、燃焼排気の温度を検出する排気温度検出部（図示せず）による検出温度に基づいて、グリルバーナによる残加熱時間を求める。その後、残加熱時間の経過、或いは、グリル庫内の温度や燃焼排気の温度に基づいて、被加熱物の焼き上がりを判定してグリルバーナの燃焼を停止する。なお、グリルバーナによる加熱開始後において、グリル庫内の温度を検出するグリル庫内温度検出部による検出温度、及び、燃焼排気の温度を検出する排気温度検出部による検出温度に基づいて、グリルバーナによる残加熱時間を求める構成については、従来から種々提案されている公知の構成を採用することが可能であり、その詳細な説明は省略する。
【００５９】
図７は、自動調理において、制御部が、上記のように、グリルバーナによる加熱を開始した後、グリル庫内温度検出部による検出温度、及び、排気温度検出部による検出温度に基づいて、グリルバーナによる残加熱時間を求めるまでの設定表示部２３の表示例を示すものである。
【００６０】
図７（ａ）に示すように、左側表示部２４Ｌは、第１文字表記２５ａの「姿焼き」に隣接する上段横長の第１セグメント２４Ｌ１が点灯し、オートメニュースイッチ２０の操作によって、「姿焼き」が選択されて設定されていることが表示されている。
【００６１】
また、右側表示部２４Ｒは、第２文字表記２６ｂの「標準」に隣接した中段横長の第７セグメント２４Ｒ７が点灯し、焼き加減スイッチ２１の操作によって、「標準」が選択されて設定されていることが表示されている。
【００６２】
図７の例では、グリルバーナによる残加熱時間が未だ求まっていないので、残加熱時間の表示では、時間／調理表示部２４の左右の表示部２４Ｌ，２４Ｒの何れのセグメント２４Ｌ１〜２４Ｌ７，２４Ｒ１〜２４Ｒ７も点灯していない。
【００６３】
残加熱時間が求まるまでは、図７（ａ）の調理条件を示す表示と、図７（ｂ）の残加熱時間を示す表示とを、例えば、１秒毎に交互に切替えて表示する。
【００６４】
図８は、自動調理において、制御部が、グリルバーナによる加熱開始後において、グリル庫内温度検出部による検出温度、及び、排気温度検出部による検出温度に基づいて、グリルバーナによる残加熱時間を求めた後の表示例を示すものである。
【００６５】
図８（ａ）は、図７（ａ）と同様に、左側表示部２４Ｌは、第１文字表記２５ａの「姿焼き」に隣接する上段横長の第１セグメント２４Ｌ１が点灯し、メニューとして「姿焼き」が選択されて設定され、また、右側表示部２４Ｒは、第２文字表記２６ｂの「標準」に隣接した中段横長の第７セグメント２４Ｒ７が点灯し、焼き加減として「標準」が選択されて設定されていることが表示されている。
【００６６】
図８（ｂ）は、二桁の数字表示による残加熱時間の表示例であり、左側表示部２４Ｌの第２，第３セグメント２４Ｌ２，２４Ｌ３が点灯して数字「１」を表示すると共に、右側表示部２４Ｒの第１，第３，第４，第６，第７セグメント２４Ｒ１，２４Ｒ３，２４Ｒ４，２４Ｒ６，２４Ｒ７が点灯して数字「５」を表示し、残加熱時間が、「１５」分であることを例示している。
【００６７】
このように自動調理において、残加熱時間が求まると、図８（ａ）の調理条件を示す表示と、図８（ｂ）の残加熱時間を示す表示とを、例えば、１秒毎に交互に切替えて表示する。
【００６８】
因みに、図８の状態から時間の経過に伴い、残加熱時間１５分は、１４分、１３分、・・・、１分とカウントダウンされ、残加熱時間が３０秒になった時点で、残加熱時間の表示単位は「分」から「秒」に切り替わり、残加熱時間が３０秒、２９秒、２８秒・・・０３秒、０２秒、０１秒とカウントダウンされ、残加熱時間が００秒となった時点で、グリルバーナの燃焼が停止する。
【００６９】
なお、この図８（ｂ）や上記図５にも示されるように、タイマ時間や残加熱時間を、左側表示部２４Ｌ及び右側表示部２４Ｒの７セグメントＬＥＤで、数値表示する場合には、「０」〜「９」の何れの数値であっても、縦長の何れかのセグメント２４Ｌ２，２４Ｌ３，２４Ｌ５，２４Ｌ６；２４Ｒ２，２４Ｒ３，２４Ｒ５，２４Ｒ６を点灯させる必要があるのに対して、上記図６や図７（ａ），図８（ａ）に示されるように、オートメニューの「姿焼き」、「切身」、「干物」の表示、及び、焼き加減の「強め」、「標準」、「弱め」の表示は、何れも横長のセグメント２４Ｌ１，２４Ｌ７，２４Ｌ４；２４Ｒ１，２４Ｒ７，２４Ｒ４のみを点灯させるものである。
【００７０】
すなわち、タイマ時間等の数値表示では、縦長のセグメントが点灯するのに対して、オートメニュー等の調理条件の表示では、縦長セグメントが点灯することはなく、横長セグメントのみの点灯である。
【００７１】
したがって、当該グリル付きガスコンロ１の取扱説明書等に、時間／調理表示部２４の７セグメントＬＥＤの横長のセグメントのみが点灯しているときは、調理条件の表示であり、縦長のセグメントが点灯しているときには、タイマ時間等の数値表示である旨を記載しておくことによって、使用者は、一目で、調理条件の表示であるか、タイマ時間等の表示であるかを把握することができ、便利である。
【００７２】
以上のように本実施形態によれば、設定されるタイマ時間等の時間表示が、２つの７セグメントＬＥＤで構成された時間／調理表示部２４による二桁の数字表示で行われ、設定される自動調理の調理条件の内、オートメニューに関する表示が、時間／調理表示部２４の左側表示部２４Ｌの横長のセグメント２４Ｌ1，２４Ｌ７，２４Ｌ４と、この各セグメント２４Ｌ1，２４Ｌ７，２４Ｌ４に隣接する第１〜第３文字表記２５ａ〜２５ｃとによって行われ、焼き加減に関する表示が、時間／調理表示部２４の右側表示部２４Ｒの横長のセグメント２４Ｒ1，２４Ｒ７，２４Ｒ４と、この各セグメント２４Ｒ1，２４Ｒ７，２４Ｒ４に隣接する第１〜第３文字表記２６ａ〜２６ｃとによって行われる、すなわち、調理設定表示部２３を、自動調理用の調理条件の表示と、タイマ調理等の時間の表示とに兼用するので、個別の表示部を備える従来の構成に比べて、表示部を構成する部品点数の削減及び設置領域の縮小を図ることができる。
【００７３】
更に、設定される調理条件は、オートメニュースイッチ２０と焼き加減スイッチ２１との個別のスイッチによって、時間／調理表示部２４の表示を見ながら独立に設定することができる。
【００７４】
本実施形態では、表示素子として、２つの７セグメントＬＥＤのみを使用して、自動調理用の調理条件の表示と、タイマ調理用の時間表示とを行うので、グリル付きガスコンロとして、自動調理とタイマ調理との両調理を実行する形態のものと、タイマ調理のみを実行する形態のものとを製造する場合に、２つの７セグメントＬＥＤによる表示部分を兼用して製造することが可能であり、タイマ時間の表示以外に、自動調理用の調理条件、例えば、上記の「姿焼き」、「切身」、「干物」、及び、「強め」、「標準」、「弱め」を表示するために、別途、ＬＥＤ等の表示素子を必要とする従来例に比べて、低コスト化を図ることができる。
【００７５】
また、タイマ調理のみを実行する形態のグリル付きガスコンロを改良して、自動調理とタイマ調理との両調理を実行する形態のグリル付きガスコンロを製造する場合にも、２つの７セグメントＬＥＤによる表示部分を兼用して製造することができるので有用である。
【００７６】
更に、本実施形態は、自動調理の調理条件である、「姿焼き」、「切身」、「干物」といったオートメニュー、及び、「強め」、「標準」、「弱め」といった焼き加減を、第１，第２表記部２５，２６の文字表記２５ａ〜２５ｃ，２６ａ〜２６ｃによって表しているので、例えば、自動調理の調理条件を、記号で表記した場合のように、使用者が、取扱説明書等によってその記号が意味するところを参照しながらグリルを使用しなければならない事態が生じることがなく、使い勝手が良い。
【００７７】
なお、本発明の表記部は、文字表記に限らず、図記号等の表記であってもよく、文字表記と図記号等を組合せた表記であってもよい。
【００７８】
調理条件やタイマ時間の表示は、７セグメントＬＥＤによる点灯に限らず、点滅によって行ってもよく、例えば、調理条件を設定している間は、７セグメントＬＥＤの横長のセグメントを点滅させ、調理条件の設定が終了した時点で点灯するようにしてもよい。
【００７９】
上記実施形態では、２つの７セグメントＬＥＤによって、二桁の数字表示を行ったが、二桁に限らず、他の桁数の数字表示を行えるようにしてもよい。
【００８０】
また、本発明のグリル付き加熱調理器は、コンロバーナを備えたガス燃焼式の加熱調理器に限らず、電気ヒータや電磁式の加熱調理器にも同様に適用できるものである。
【００８１】
本発明は、上記実施形態に限定されるものではなく、本発明の範囲内において種々の変形を加えることが可能である。
【符号の説明】
【００８２】
１                        グリル付きガスコンロ
２                        ガスコンロ本体
３Ａ                      高火力バーナ
３Ｂ                      小火力バーナ
３Ｃ                      高火力バーナ
４                        グリル
１７                      グリル用調理設定入力部
１８                      タイマスイッチ
２０                      オートメニュースイッチ
２１                      焼き加減スイッチ
２３                      調理設定表示部
２４                      時間／調理表示部
２４Ｌ                    左側表示部
２４Ｒ                    右側表示部
２４Ｌ１〜２４Ｌ７        第１〜第７セグメント
２４Ｒ１〜２４Ｒ７        第１〜第７セグメント
２５                      第１表記部
２６                      第２表記部
２５ａ〜２５ｃ            第１〜第３文字表記
２６ａ〜２６ｃ            第１〜第３文字表記
【図１】
2018015107.tif 000003
【図２】
2018015107.tif 000004
【図３】
2018015107.tif 000005
【図４】
2018015107.tif 000006
【図５】
2018015107.tif 000007
【図６】
2018015107.tif 000008
【図７】
2018015107.tif 000009
【図８】
2018015107.tif 000010